(57)【要約】【課題】  布そのものの清掃能力を最大限に生かせるような形状の清掃用具を提供することである。【解決手段】  清掃用具１は、布の裁断部２ａから成る清掃面を有する清掃用布２と、丸めてある清掃用布２を外側から留めるマジックテープ等を有する留め部材３とから構成され、裁断部２ａを重ねた面を汚れた個所を清掃する清掃面とする。【選択図】  図１
2005342271.tif 000002
【特許請求の範囲】
【請求項１】
布の裁断部を重ねて清掃面としたことを特徴とする清掃用具。
【請求項２】
側縁を裁断した布を丸めることにより裁断部を清掃面としたことを特徴とする清掃用具。
【請求項３】
複数枚の布を重ねて裁断し、該裁断面を清掃面としたことを特徴とする清掃用具。
【請求項４】
布の裁断部と馬毛とによって清掃面を形成したことを特徴とする清掃用具。
【請求項５】
前記布が編み布または織り布であることを特徴とする請求項１ないし４のうちのいずれか１項に記載の清掃用具。
【発明の詳細な説明】
【技術分野】
【０００１】
本発明は清掃用具に関し、特に、壁や床などの汚れた個所の拭き掃除に用いる清掃用具に関する。
【背景技術】
【０００２】
従来から、壁や床などの汚れを掃除するにあたって雑巾などによる拭き掃除が行われてきた。この場合、雑巾などの布の面によって、掃除したい個所の汚れを拭取るようにしていた。
【０００３】
たとえば特許文献１に記載の清掃用不織布では、布の材質として親油性繊維を用いて洗剤が保持され得るようにし、この洗剤によって清掃能力を向上させようとしている。
【０００４】
また特許文献２に記載の取っ手付き雑巾では、雑巾の保持具と取っ手とを一体化した取っ手部材を雑巾の一端に取付け、取っ手を持つことによって清掃をしやすくするとともに、取っ手部材と雑巾との取付け、取り外しを容易に行うことができるようにしている。
【０００５】
【特許文献１】特開２００３−１８０５９３号公報
【特許文献２】特開２００３−３２５４１３号公報
【発明の開示】
【発明が解決しようとする課題】
【０００６】
ところで、上述の特許文献１や特許文献２に記載の発明のような従来の清掃用具においては、従来から一般的であるように、布状の清掃用具の布の面で壁や床などの汚れた面を拭き掃除するものであり、このような掃除用具にあっては、その清掃能力を向上させるためには、たとえば布の材質を工夫したり、洗剤を使用したりする必要があった。
【０００７】
ところが従来は、同じ材質の布を用いながらも、その清掃能力を向上させるための構成についての検討はされておらず、このような清掃能力の向上が望まれるものであった。
【０００８】
本発明は上記の点にかんがみてなされたもので、布そのものの清掃能力を最大限に生かせるような形状の清掃用具を提供することを目的とする。
【課題を解決するための手段】
【０００９】
本発明は上記の目的を達成するために、布の裁断部を重ねて清掃面としたことを特徴とする。
【００１０】
また本発明は、側縁を裁断した布を丸めることにより裁断部を清掃面としたことを特徴とする。
【００１１】
また本発明は、複数枚の布を重ねて裁断し、該裁断面を清掃面としたことを特徴とする。
【００１２】
また本発明は、布の裁断部と馬毛とによって清掃面を形成したことを特徴とする。
【００１３】
また本発明は請求項１ないし４のうちのいずれか１項に記載の発明において、前記布が編み布または織り布であることを特徴とする。
【発明の効果】
【００１４】
本発明によれば、布そのものの清掃能力を最大限に生かせるような形状の清掃用具を提供することができる。
【００１５】
すなわち本発明によれば、布の裁断部から成る清掃面にて汚れた個所を拭き掃除するようにしたので、布を構成する繊維の断面にて汚れを拭取ることができ、従来のように布の面（繊維の側面）で汚れを拭取る場合に比べて、より小さな接点で汚れた個所に対することができ、よって小さな汚れの粒子にも対応することができ、清浄能力を向上することができる。
【発明を実施するための最良の形態】
【００１６】
以下、本発明の実施の形態を図面を参照して説明する。
【００１７】
図１は、本発明による清掃用具の一実施の形態の構成を示す斜視図である。
【００１８】
図１に示すように、本実施の形態の清掃用具１は、布の裁断部２ａから成る清掃面を有する清掃用布２と、丸めてある清掃用布２を外側から留めるマジックテープ等を有する留め部材３とから構成される。
【００１９】
この清掃用具１は、手のひらに収まる程度の大きさであることが使いやすく望ましい。たとえば布の裁断部２ａから成る清掃面の直径は６ｃｍ程度であり、清掃用具１の高さＡは３．５ｃｍ程度であることが望ましい。
【００２０】
以下に、この清掃用具１の構造、およびその製造工程についてさらに詳しく説明する。
【００２１】
図２〜図８は、図１に示した清掃用具１の製造工程を説明する図であり、図２は、清掃用布２を裁断する前の状態を示す斜視図、図３は、図２に示した布２ｂを丸めた状態を示す斜視図、図４は、図３に示した布２ｂを裁断して布２ｃを得た状態を示す斜視図、図５は、図４に示した布２ｃの丸まりをほどいた状態を示す斜視図、図６は、図５に示した布２ｃに鋸状の裁断部２ａを形成して清掃用布２ａとした状態を示す斜視図、図７は、図６に示した清掃用布２ａを丸めていく状態を示す斜視図、図８は、図７に示した清掃用布２ａの丸まりを留める留め部材を示す斜視図である。
【００２２】
清掃用具１の製造工程の一例としては、まず、図２に示す布２ｂを図３に示すように丸め、それを清掃用具１の高さＡに合わせた分だけ裁断して布２ｃを得る（図４参照）。
【００２３】
布２ｂの繊維は、綿、絹、麻、毛（たとえば羊毛）等の植物性、動物性の自然繊維でもよいし、ナイロンやポリエステル等またこれらの混合（たとえばポリエステル８５％、ナイロン１５％）でもよいし、アルミなどの金属製の繊維であってもよい。また布２ｂは、これら各繊維の混紡であってもよい。
【００２４】
また、繊維の径は、１〜５μｍ程度の超極細繊維であれば汚れの粒子の大きさとの関係で、汚れを落とすのに望ましい。
【００２５】
また、布２ｂは上述の繊維による織り布でもよいし、編み布でもよい。すなわち、布２ｂは、たて糸とよこ糸とが直角に交わり、隣りの糸と密着して平面的に連ならせて織った織り布であってもよいし、一本、あるいは数本の糸がループを作り、そのループに次の糸を引っ掛けて新しいループを作ることを連続して編んだ編み布であってもよい。
【００２６】
図４のように布２ｂを裁断して布２ｃを得たならば、その後、図５に示すように、布２ｃの丸まりを一旦ほどき、ハサミ（たとえばピンキングハサミ）やカッター等の刃物や銅線などの熱線、またはレーザ光線等によって、接触式または非接触式で、布２ｃの長手方向両側縁を鋸状に裁断して裁断部２ａを形成して清掃用布２とする。
【００２７】
なお本実施の形態では裁断部２ａを図６に示すような鋸状にしているが、本発明はこれに限られるものではなく、図５に示すような状態のままで裁断部２ａを特に形成することなく清掃用具として用いてもよいし、裁断部２ａとして円形、矩形、その他多角形の任意の凹凸形状を形成してもかまわない。
【００２８】
ところで、裁断部２ａを熱によって形成した場合には、熱で溶融した繊維が冷えて固まって裁断部２ａの端に硬い部分が形成されてしまう。清掃の対象物によってはこの状態でも使用できるが、裁断部２ａの硬い部分で傷つけてしまうおそれがある部分を清掃するような場合には、このような硬い部分が形成されないように、ハサミやカッター等の刃物で裁断部２ａを形成するのが望ましい。
【００２９】
また、本実施の形態では、図６に示すように清掃用布２の長手方向両側縁に裁断部２ａを形成するようにしたが、本発明はこれに限られるものではなく、すくなくとも清掃に用いる面に裁断部２ａを形成するようにすればよい。
【００３０】
図６のように裁断部２ａを形成したならば、その後、図７に示すように清掃用布２を再び巻いて、その最外周に図５に示すような留め部材３を巻きつけて固定する。留め部材３の片面一端にはたとえばマジックテープ３ａが設けられており、反対面と接着させることにより容易に固定できるようにしてある。
【００３１】
本実施の形態の清掃用具１によれば、布の裁断部２ａから成る清掃面にて汚れた個所を拭き掃除するようにしたので、布を構成する繊維の断面にて汚れを拭取ることができ、従来のように布の面（繊維の側面）で汚れを拭取る場合に比べて、より小さな接点で汚れた個所に対することができ、よって小さな汚れの粒子にも対応することができ、清浄能力を向上することができる。
【００３２】
なお、図１に示した清掃用具１においては、図７に示したように清掃用布２を巻くだけであったが、その場合、清掃面の中央部が上下にずれてしまうおそれがあった。その場合の対応について図９（ａ）、図９（ｂ）を参照して説明する。
【００３３】
図９は、図１に示した清掃用具１の清掃面の中央部のずれを防止する構成について説明する図であり、（ａ）は清掃面の中央部がずれた状態を示す斜視図であり、（ｂ）は清掃面の中央部のずれを防止する構成を示す斜視図である。
【００３４】
そこでこの例では、図９（ｂ）に示すように、丸めた清掃用布２の側面からテグス５を所定の回数だけ貫通させるようにしている。このようにすることにより清掃用布２はテグス５によって固定され、その中央部が図９（ａ）のようにずれてしまうのを防ぐことができる。
【００３５】
次に、本実施の形態の清掃用具１の清掃用布２を製造する工程の別の例について説明する。
【００３６】
図１０は、図１に示した清掃用具１の清掃用布２を製造する工程であって、図２〜図６に示した工程とは別の例を示す図である。
【００３７】
この図１０に示す例では、布２ｂを複数枚数用意し、それを求めて裁断し、その裁断の際に裁断部２ａも同時に形成する。このようにすれば、清掃用布２を大量生産する際に向いている。
【００３８】
次に、本発明による清掃用具の図１とは別の実施の形態について説明する。
【００３９】
図１１は、本発明による清掃用具の図１とは別の実施の形態の構成を示す図であり、（ａ）は清掃用具の斜視図であり、（ｂ）は（ａ）のＢ−Ｂ断面図であり、（ｃ）は（ａ）のＣ−Ｃ断面図である。
【００４０】
図１に示した清掃用具１では、清掃用布２を図７に示したように丸めるようにしたが、本実施の形態の清掃用具１１は、図１１（ａ）、図１１（ｂ）および図１１（ｃ）に示すように、裁断部１２ａを有する清掃用布１２を複数枚重ねて２つ折りにし、それを６面体の１面のみが空いた箱状の持ち手１６に裁断部１２ａが揃って突出するように収容して構成される。持ち手１６の材質は、金属でも木材でもよいし、成形が容易なプラスチックやその他各種の樹脂でもよい。
【００４１】
この清掃用具１１を用いて清掃する際には、ユーザは持ち手１６を持ち、裁断部１２ａによって形成される清掃面にて、汚れた個所の清掃を行う。
【００４２】
次に、本発明による清掃用具の持ち手の部分の別の構成について説明する。
【００４３】
図１２の例では、清掃用具２１は、裁断部２２ａを有する清掃用布２２を丸めて、それをキャップ２３に収容して構成される。キャップ２３の材質は、金属でも木材でもよいし、成形が容易なプラスチックやその他各種の樹脂でもよい。
【００４４】
この清掃用具２１を用いて清掃する際には、ユーザはキャップ２３を持ち、裁断部２２ａによって形成される面にて、汚れた個所の清掃を行う。
【００４５】
図１３の例では、清掃用具３１は、図１２の清掃用具２１に柄３７を取り付けて構成される。この例において、キャップ２３と柄３７とは一体成形したものでもよいし、取り外しできるものであってもよい。柄３７の材質は、金属でも木材でもよいし、成形が容易なプラスチックやその他各種の樹脂でもよい。
【００４６】
この清掃用具３１を用いて清掃する際には、ユーザは柄３７を持ち、裁断部２２ａによって形成される面にて、汚れた個所の清掃を行う。
【００４７】
図１４の例では、清掃用具４１は、図１２の清掃用具２１に取っ手４７を取り付けて構成される。この例において、キャップ２３と取っ手４７とは一体成形したものでもよいし、取り外しできるものであってもよい。取っ手４７の材質は、金属でも木材でもよいし、成形が容易なプラスチックやその他各種の樹脂でもよい。
【００４８】
この清掃用具４１を用いて清掃する際には、ユーザは取っ手４７を持ち、裁断部２２ａによって形成される面にて、汚れた個所の清掃を行う。
【００４９】
次に、本発明による清掃用具の図１および図１０とは別の実施の形態について説明する。
【００５０】
図１５（ａ）は清掃用具の側面図であり、（ｂ）は清掃用具の斜視図である。
【００５１】
この例では、清掃用具５１は、裁断部５２ａを有する清掃用布５２を丸めて、その周囲を馬毛５８で囲み、全体をキャップ５７に収容したものである。キャップ５７の材質は、金属でも木材でもよいし、成形が容易なプラスチックやその他各種の樹脂でもよい。この例によれば、馬毛５８によるブラッシングにて清掃能力がさらに向上される。
【００５２】
また、図１６（ａ）は清掃用具の側面図であり、（ｂ）は清掃用具の斜視図である。
【００５３】
この例では、清掃用具６１は、中央に馬毛６８を設け、その周囲に、裁断部６２ａを有する清掃用布６２を巻きつけ、全体をキャップ６７に収容したものである。キャップ６７の材質は、金属でも木材でもよいし、成形が容易なプラスチックやその他各種の樹脂でもよい。この例によっても、馬毛６８によるブラッシングにて清掃能力がさらに向上される。
【００５４】
なお、図１５（ａ）および図１５（ｂ）、図１６（ａ）および図１６（ｂ）に示した例においては馬毛５８および馬毛６８を用いたが、本発明はこれに限られるものではなく、豚や牛など他の動物の毛を用いてもよいし、鳥類の羽や羽毛等を用いてもよい。
【００５５】
図１７は、図１に示した清掃用具１を使用している状態を示す斜視図である。
【００５６】
図１７に示すように、清掃用具１はコンパクトに手のひらに収まり、使い勝手がよく、汚れた個所を適切に清掃することができる。
【図面の簡単な説明】
【００５７】
【図１】本発明による清掃用具の一実施の形態の構成を示す斜視図である。
【図２】図１に示した清掃用具１の製造工程を説明する図であり、清掃用布２を裁断する前の状態を示す斜視図である。
【図３】図１に示した清掃用具１の製造工程を説明する図であり、図２に示した布２ｂを丸めた状態を示す斜視図である。
【図４】図１に示した清掃用具１の製造工程を説明する図であり、図３に示した布２ｂを裁断して布２ｃを得た状態を示す斜視図である。
【図５】図１に示した清掃用具１の製造工程を説明する図であり、図４に示した布２ｃの丸まりをほどいた状態を示す斜視図である。
【図６】図１に示した清掃用具１の製造工程を説明する図であり、図５に示した布２ｃに鋸状の裁断部２ａを形成して清掃用布２ａとした状態を示す斜視図である。
【図７】図１に示した清掃用具１の製造工程を説明する図であり、図６に示した清掃用布２ａを丸めていく状態を示す斜視図である。
【図８】図１に示した清掃用具１の製造工程を説明する図であり、図７に示した清掃用布２ａの丸まりを留める留め部材を示す斜視図である。
【図９】図１に示した清掃用具１の清掃面の中央部のずれを防止する構成について説明する図であり、（ａ）は清掃面の中央部がずれた状態を示す斜視図であり、（ｂ）は中央部のずれを防止する構成を示す斜視図である。
【図１０】図１に示した清掃用具１の清掃用布２を製造する工程であって、図２〜図６に示した工程とは別の例を示す図である。
【図１１】本発明による清掃用具の図１とは別の実施の形態の構成を示す図であり、（ａ）は清掃用具の斜視図であり、（ｂ）は（ａ）のＢ−Ｂ断面図であり、（ｃ）は（ａ）のＣ−Ｃ断面図である。
【図１２】図１に示した清掃用具１の持ち手の部分を異ならせた例を示す斜視図である。
【図１３】図１に示した清掃用具１の持ち手の部分を異ならせた別の例を示す斜視図である。
【図１４】図１に示した清掃用具１の持ち手の部分を異ならせた、さらに別の例を示す斜視図である。
【図１５】本発明による清掃用具の図１や図１０とは別の実施の形態の構成を示す図であり、（ａ）は清掃用具の側面図であり、（ｂ）は清掃用具の斜視図である。
【図１６】本発明による清掃用具の図１や図１０とは別の実施の形態の構成を示す図であって、図１５（ａ）、図１５（ｂ）とは別の例であり、（ａ）は清掃用具の側面図であり、（ｂ）は清掃用具の斜視図である。
【図１７】図１に示した清掃用具１を使用している状態を示す斜視図である。
【符号の説明】
【００５８】
１、１１、２１、３１、４１、５１、６１  清掃用具
２、２ｂ、２ｃ、１２、２２、５２、６２  清掃用布
２ａ、１２ａ、２２ａ、５２ａ、６２ａ  裁断部
３  留め部材
５  テグス
１６  持ち手
２３、５７、６７  キャップ
３７  柄
４７  取っ手
５８、６８  馬毛
【図１】
2005342271.tif 000003
【図２】
2005342271.tif 000004
【図３】
2005342271.tif 000005
【図４】
2005342271.tif 000006
【図５】
2005342271.tif 000007
【図６】
2005342271.tif 000008
【図７】
2005342271.tif 000009
【図８】
2005342271.tif 000010
【図９】
2005342271.tif 000011
【図１０】
2005342271.tif 000012
【図１１】
2005342271.tif 000013
【図１２】
2005342271.tif 000014
【図１３】
2005342271.tif 000015
【図１４】
2005342271.tif 000016
【図１５】
2005342271.tif 000017
【図１６】
2005342271.tif 000018
【図１７】
2005342271.tif 000019